(57)【特許請求の範囲】
【請求項１】
商品の側面を略水平にして商品を上下方向に積み上げて収納する商品通路を形成する左右に対向した側板と、前記側板間に形成された前記商品通路の下端に商品を１本ずつ払い出す商品搬出装置と、前記商品搬出装置と対向して設けられる通路規制板を有する自動販売機の商品収納装置であって、
前記通路規制板は、前記商品搬出装置との間に商品に応じた間隔の商品通路を形成できるように前記側板の開口穴に挿入して前記通路規制板を前記側板間に係止するための係合部を上下方向に複数有し、
上下の前記係合部の少なくとも一方を、前記通路規制板の本体と重ね板とが前記通路規制板の左右に連続して略密着する重ね部で構成し、
前記重ね板が前記通路規制板の本体にカシメ固定されており、前記通路規制板の上端もしくは下端が左右に連続して３重構造になるように前記通路規制板の本体の上端もしくは下端を前後から略密着させて挟み込む折り曲げ部を前記重ね板に形成したことを特徴とする自動販売機の商品収納装置。
【請求項２】
前記係合部が３重構造になるように前記重ね板の上端もしくは下端が折り重ねられていることを特徴とする請求項１に記載の自動販売機の商品収納装置。
【請求項３】
前記係合部に側板への固定手段を設けたことを特徴とする請求項１から２のいずれか一項に記載の自動販売機の商品収納装置。
【請求項４】
前記固定手段は、開口穴を貫通して側板の外側に突出した前記係合部の上下方向の端部が自由端になるように前記側板の外側に突出した前記係合部における前記側板寄りの部分に切欠きを設け、前記自由端が、左右方向を軸として前後方向に折り曲げられているものであることを特徴とする請求項３に記載の自動販売機の商品収納装置。
【発明の詳細な説明】
【技術分野】
【０００１】
本発明は、缶、瓶商品またはＰＥＴ容器の商品を販売する自動販売機の商品収納装置に関するものである。
【背景技術】
【０００２】
従来、この種の自動販売機の商品収納装置は、本体内部にサーペンタイン式の商品通路が前後方向に複数列設けられており、その商品通路では、缶、瓶またはＰＥＴ容器などの様々な外径の商品が横になった状態で縦列に収納することが必要であり、太径、細径、極細径の商品を販売する商品通路は、商品通路の下端に設けられた商品搬出装置と対向して設けられた通路規制板を前後に動かすことで販売できるようになっているが、販売の大半を占める太径と細径の商品だけを販売する商品通路は、通路規制板を動かすことなく販売できるため、固定された構成となっている（例えば、特許文献１参照）。
【０００３】
図５は特許文献１に記載された従来の自動販売機の商品収納装置の商品搬出装置と通路規制板を示す側面図である。
【０００４】
図６は特許文献１に記載された従来の自動販売機の商品収納装置の通路規制板を示す正面図である。
【０００５】
図５、図６に示すように、従来の商品収納装置は、商品の側面を水平にして商品を上下方向に収納する商品通路１０１と、商品通路１０１を形成する左右に対向する２つの側板１０２と、側板１０２間に形成される商品通路１０１の下端に商品を１本ずつ払い出す商品搬出装置１０３と対向して設けられる通路規制板１０４と、通路規制板１０４の両側部に設けられた係止爪１０５、固定爪１０６と、側板１０２に設けられた係止爪１０５、固定爪１０６が挿通される開口穴１０７とで構成されており、固定爪１０６を開口穴１０７に挿通後、側板１０２の外表面と当接するように固定爪１０６を折り曲げることで、通路規制板１０４を所定の位置に固定でき、太径と細径の商品の販売を可能にしたものである。また、通路規制板１０４の商品通路１０１の反対側には商品通路１０１を前後方向に複数列設けるため、次の商品通路１０１の通路規制板１０４が近傍に配置される構成となっている。
【先行技術文献】
【特許文献】
【０００６】
【特許文献１】特開２００６−２５２０２６号公報
【発明の概要】
【発明が解決しようとする課題】
【０００７】
しかしながら、上記従来の構成では、側板１０２の開口穴１０７へ挿通される通路規制板１０４の係止爪１０５と固定爪１０６に販売する際に積み上げられた商品の荷重がすべて集中するため、変形して商品通路１０１が広がり、商品が保持できない。
【０００８】
さらにサービス時などの商品収納装置の脱着は商品通路１０１に商品が収納された状態で通路規制板１０４を保持して作業するので、収納した商品と商品収納装置の荷重がすべて通路規制板１０４に集中して変形または、脱落してしまうため、通路規制板１０４と係止爪１０５、及び、固定爪１０６は厚い鋼板を切断し一体で形成されており、材料の使用量が非常に多いという課題を有していた。
【０００９】
本発明は、上記従来の課題を解決するもので、通路規制板を薄い鋼板で構成しても、商品通路の前後方向に限られた狭い配置空間でも変形することなく商品通路寸法を確保し、
商品を販売することができ、さらに、サービス時においても変形・脱落することなく安全に作業ができる自動販売機の商品収納装置を提供することを目的とする。
【課題を解決するための手段】
【００１０】
上記目的を達成するために、本発明の自動販売機の商品収納装置は、商品の側面を略水平にして商品を上下方向に積み上げて収納する商品通路を形成する左右に対向した側板と、前記側板間に形成された前記商品通路の下端に商品を１本ずつ払い出す商品搬出装置と、前記商品搬出装置と対向して設けられる通路規制板を有する自動販売機の商品収納装置であって、前記通路規制板は、前記商品搬出装置との間に商品に応じた間隔の商品通路を形成できるように前記側板の開口穴に挿入して前記通路規制板を前記側板間に係止するための係合部を上下方向に複数有し、上下の前記係合部の少なくとも一方を、本体と重ね板とが前記通路規制板の左右に連続して略密着する重ね部で構成したものである。
【００１１】
これによって、通路規制板の本体と重ね板を薄い鋼板で構成しても、本体と重ね板とが通路規制板の左右に連続して略密着する重ね部で構成した係合部により、通路規制板および係合部の強度が高まり、側板の開口穴に挿入係止する係合部および通路規制板が変形することなく、安定した商品通路寸法を確保することができる。
【発明の効果】
【００１２】
本発明の自動販売機の商品収納装置は、通路規制板を薄い鋼板で構成しても、商品通路の前後方向に限られた狭い配置空間でも変形することなく商品通路寸法を確保し、商品を販売することができ、さらに、サービス時においても変形・脱落することなく安全に作業ができる、コスト低減を図りながら様々な商品を販売することができる。
【図面の簡単な説明】
【００１３】
【図１】本発明の実施の形態１における自動販売機の商品収納装置の斜視図
【図２】同実施の形態における自動販売機の商品収納装置の通路規制板の斜視図
【図３】同実施の形態における自動販売機の商品収納装置の通路規制板の上部詳細図
【図４】同実施の形態における自動販売機の商品収納装置の通路規制板の下部詳細図
【図５】従来の自動販売機の商品収納装置の商品搬出装置と通路規制板を示す側面図
【図６】従来の自動販売機の商品収納装置の通路規制板を示す正面図
【発明を実施するための形態】
【００１４】
第１の発明は、商品の側面を略水平にして商品を上下方向に積み上げて収納する商品通路を形成する左右に対向した側板と、前記側板間に形成された前記商品通路の下端に商品を１本ずつ払い出す商品搬出装置と、前記商品搬出装置と対向して設けられる通路規制板を有する自動販売機の商品収納装置であって、前記通路規制板は、前記商品搬出装置との間に商品に応じた間隔の商品通路を形成できるように前記側板の開口穴に挿入して前記通路規制板を前記側板間に係止するための係合部を上下方向に複数有し、上下の前記係合部の少なくとも一方を、前記通路規制板の本体と重ね板とが前記通路規制板の左右に連続して略密着する重ね部で構成し、前記重ね板が前記通路規制板の本体にカシメ固定されており、前記通路規制板の上端もしくは下端が左右に連続して３重構造になるように前記通路規制板の本体の上端もしくは下端を前後から略密着させて挟み込む折り曲げ部を前記重ね板に形成したものであり、通路規制板および係合部の強度が高まり、側板に配した開口穴に挿入係止する係合部および通路規制板が商品通路の前後方向に限られた狭い配置空間でも変形することなく、安定した商品通路寸法を確保し、商品を販売することができ、さらに、サービス時においても変形・脱落することなく安全に作業ができ、コスト低減を図りながら様々な商品を販売することができる。具体的には、３重構造になる部分の密着性を高めて薄くすることができ、通路規制板の強度が３重構造になった上端もしくは下端で高まり、通路規制板が変形しにくくなる。
【００１５】
第２の発明は、第１の発明において、前記係合部が３重構造になるように前記重ね板の上端もしくは下端が折り重ねられているものであり、通路規制板の強度が高められるとともに係合部の強度をさらに高めることができる。
【００１６】
第３の発明は、第１から第２のいずれかの発明において、前記係合部に側板への固定手段を設けたものであり、係合部に設けた固定手段により通路規制板と側板を固定することができる。
【００１７】
第４の発明は、第３の発明において、前記固定手段は、開口穴を貫通して側板の外側に突出した前記係合部の上下方向の端部が自由端になるように前記側板の外側に突出した前記係合部における前記側板寄りの部分に切欠きを設け、前記自由端が、左右方向を軸として前後方向に折り曲げられているものであり、別部材を付加することなく、通路規制板と側板をしっかりと固定することができ、コスト低減を図ることができる。
【００１８】
以下、本発明の実施の形態について、図面を参照しながら説明する。なお、この実施の形態によってこの発明が限定されるものではない。
【００１９】
（実施の形態１）
図１は、本発明の実施の形態１における自動販売機の商品収納装置の斜視図である。図２は、同実施の形態における自動販売機の商品収納装置の通路規制板部の斜視図である。図３は、同実施の形態における自動販売機の商品収納装置の通路規制板の上部詳細図である。図４は、同実施の形態における自動販売機の商品収納装置の通路規制板の下部詳細図である。
【００２０】
図１から図４において、商品収納装置は、側板２間に上下方向に蛇行したサーペンタイン式の商品通路１を前後方向に複数列形成し、各商品通路１の下端には商品通路１を挟んで商品搬出装置３と通路規制板４が設けられ、上端には商品を入れる商品投入口７が設けられている。
【００２１】
通路規制板４の左右方向の両側部の略上下端の４箇所には左右方向に突出した係合部５が設けられている。側板２には係合部５が挿通係止する開口穴６が設けられている。
【００２２】
通路規制板４の略上端の両側部に設けた係合部５について詳述すると、通路規制板４の本体となる鋼板の左右に凸となるようにＴ字状に形成した上側の端面部を商品通路１の反対側に向けて折り返し部分が逆Ｕ字状になるように隙間９をあけて折り返して、通路規制板４の商品通路１の反対側の面と対向するように配置し、折り返された端面部と、本体における左右端部に連続した商品通路１側に凸となるビード１６及びビード１６と連続して左右方向に突出した突出部１５とが、左右方向に連続する筒を形成するように、折り返された端面部をビード１６の谷となる部分及び突出部１５における反商品通路側部分と略密着させて一体化させ、通路規制板４の左右方向の両側部から左右方向に突出した係合部５を形成したものである。
【００２３】
また、通路規制板４の略下端の両側部に設けた係合部５については、通路規制板４の商品通路１の反対側の面と略密接するように本体を下端で略密着に前後から折り返し挟み込むように形成された下端折り曲げ部１０と商品通路１と反対側に凸となるよう形成された略円柱状のカシメ１１とで本体と固定される重ね板８を左右側板２間に配置し、重ね板８の上端面を商品通路１側に向けて先端が左右に連続して略密着に２重構造になるように折り返した密着曲げ端１２が本体の左右端部から左右方向に突出した突出部１５と略密着して一体となり通路規制板４の左右方向の両側部から左右方向に突出した係合部５を形成す
る。
【００２４】
また、重ね板８の下端折り曲げ部１０と本体とで３重構造になっている箇所は、その３重構造になっている箇所より上の通路規制板４の部分よりも商品通路１と反対側に凸となるよう通路規制板４と略平行に曲げが形成されている。
【００２５】
また、略下端部の係合部５の密着曲げ端１２は先端がＬ字形状になるよう下側から切欠き１７が設けられ、突出部１５は切欠き１７の略中央まで３重に略密着に突出するよう配し、密着曲げ端１２のＬ字形状部の先端を開口穴６に挿入後、Ｌ字形状の一部を通路規制板４の左右方向を軸として商品通路１側に略９０°折り曲げて側板２が外れないようにする固定手段１８を有している。
【００２６】
また、係合部５および密着曲げ端１２が位置する通路規制板４には左右に連続した凸部１３を有し、係合部５および密着曲げ端１２を凸部１３に密着して配置している。
【００２７】
また、通路規制板４の上下方向の中間部に位置する略中央部に商品通路１側に凸となるよう形成する商品保持部１４と、略上下端の左右係合部５間に連続して設けた凸部１３、ビード１６に垂直方向に連続した凸となるビード１６ａが商品通路１と反対側に設けられる。
【００２８】
また、商品保持部１４近傍の両側部には左右に突出した係合爪１９を設け、側板２には挿通係合される開口穴６ａを設けている。そして、係合爪１９の商品通路１と反対側の面が開口穴６ａと略密接するように配置される。なお、係合爪１９の軸線に沿ってビード１６ｂを形成することで、係合爪１９の強度を高めることができる。
【００２９】
以上のように構成された本実施の形態の自動販売機の商品収納装置について、以下その動作を説明する。
【００３０】
商品を商品投入口７から入れて、商品を商品投入口７付近まで来るように積み上げ収納する。その後、販売指令により商品搬出装置３が動作し、最下部の商品以外の上に積み上げられた商品を商品搬出装置３と通路規制板４とで保持することで１本ずつ払い出し、商品の販売が可能となる。
【００３１】
以上のように本実施の形態の自動販売機の商品収納装置は、商品の側面を略水平にして商品を上下方向に積み上げて収納する商品通路１を形成する左右に対向した側板２と、側板２間に形成された商品通路１の下端に商品を１本ずつ払い出す商品搬出装置３と、商品搬出装置３と対向して設けられる通路規制板４を有し、通路規制板４は、商品搬出装置３との間に商品に応じた間隔の商品通路１を形成できるように側板２の開口穴６に挿入して通路規制板４を側板２間に係止するための係合部５を上下方向に複数有し、下側の係合部５を、通路規制板４の本体と重ね板８とが通路規制板４の左右に連続して略密着する重ね部で構成したものであり、通路規制板４および係合部５の強度が高まり、側板２に配した開口穴６に挿入係止する係合部５および通路規制板４が商品通路の前後方向に限られた狭い配置空間でも変形することなく、安定した商品通路１寸法を確保し、商品を販売することができ、さらに、サービス時においても変形・脱落することなく安全に作業ができ、コスト低減を図りながら様々な商品を販売することができる。
【００３２】
また、本実施の形態は、重ね板８を通路規制板４の本体にカシメ１１で固定したものであり、商品通路１の前後方向に限られた狭い配置空間でも、通路規制板４の強度を高めることができる。
【００３３】
また、本実施の形態は、通路規制板４の下端が左右に連続して３重構造になるように通路規制板４の本体の下端を前後から挟み込む折り曲げ部１０を重ね板８に形成したものであり、３重構造になる部分の密着性を高めて薄くすることができ、通路規制板４の強度が３重構造になった下端で高まり、通路規制板４が変形しにくくなる。
【００３４】
また、本実施の形態は、下側の係合部５が３重構造になるように重ね板８の上端を折り重ねたものであり、通路規制板４の強度が高められるとともに下側の係合部５の強度をさらに高めることができる。
【００３５】
また、本実施の形態は、下側の係合部５に側板２への固定手段１８を設けたものであり、下側の係合部５に設けた固定手段１８により通路規制板４と側板２を固定することができる。
【００３６】
また、本実施の形態の固定手段１８は、開口穴６を貫通して側板２の外側に突出した係合部５の上下方向の端部が自由端になるように側板２の外側に突出した係合部５における側板２寄りの部分に切欠き１７を設け、自由端を、左右方向を軸として前後方向に折り曲げたものであり、別部材を付加することなく、通路規制板４と側板２をしっかりと固定することができ、コスト低減を図ることができる。
【００３７】
また、本実施の形態においては、通路規制板４の略下端部で商品通路１と反対側の面と略密接に左右に連続して配置した重ね板８の上端に設けた密着曲げ端１２と商品通路１側の通路規制板４の左右両端から左右方向に突出させた突出部１５とが略密着して３重構造とすることで、通路規制板４を薄い鋼板で構成しても、左右に連続した重ね板８の密着曲げ端１２と突出部１５の３重構造により係合部５の強度が高められ、側板２に配した開口穴６に挿入係止する係合部５が変形することなく、安定した商品通路１寸法を確保することができ、コスト低減を図りながら様々な商品を販売することができる。
【００３８】
また、通路規制板４の略下端部で商品通路１と反対側の面と略密接に左右に連続して配置した重ね板８の上端に密着曲げを設けず、商品通路１側の通路規制板４から両端に突出させた突出部１５とで２重になるよう略密着に形成しても、左右に連続した重ね板８との２重構造により係合部５の強度が高められ、通路規制板４を薄い鋼板で構成しても、側板２に配した開口穴６に挿入係止する係合部５が変形することなく、安定した商品通路１寸法を確保することができ、コスト低減を図りながら様々な商品を販売することができる。
【００３９】
また、通路規制板４の略上端の両側部に設けた係合部５は、通路規制板４の本体となる鋼板の左右に凸となるようにＴ字状に形成した上側の端面部を商品通路１の反対側に向けて折り返し部分が逆Ｕ字状になるように隙間９をあけて折り返して、通路規制板４の商品通路１の反対側の面と対向するように配置し、折り返された端面部と、本体における左右端部に連続した商品通路１側に凸となるビード１６及びビード１６と連続して左右方向に突出した突出部１５とが、左右方向に連続する筒を形成するように、折り返された端面部をビード１６の谷となる部分及び突出部１５における反商品通路側部分と略密着させて一体化させ、通路規制板４の左右方向の両側部から左右方向に突出した係合部５を形成したので、通路規制板４を薄い鋼板で構成しても、ビード１６と連続して左右方向に突出した突出部１５と折り返された端面部との筒を形成する２重構造の係合部５により、通路規制板４および係合部５の強度が高まり、側板２に配した開口穴６に挿入係止する係合部５および通路規制板４が変形することなく、安定した商品通路１寸法を確保することができ、コスト低減を図りながら様々な商品を販売することができる。
【００４０】
なお、折り返しに設けた隙間９の寸法、形状は特に限定されるものではなく、必要な強度に応じて設定され、場合によっては設定せず、折り返し全体を略密着曲げで構成しても
よい。この場合においても連続して形成した係合部５により、通路規制板４および係合部５の強度が高まり、変形することなく、安定した商品通路寸法を確保することができる。
【００４１】
また、通路規制板４の略下端部で商品通路１の反対側の面と略密接するように左右側板２間に連続して配置した重ね板８を商品通路１と反対側に凸となるよう形成された略円柱状のカシメ１１で本体と固定しているので、通路規制板４（本体と重ね板８）を薄い鋼板で構成しても、前後方向に複数列配置した商品通路１間の限られた狭い配置空間でも、商品通路１の反対側に凸となるよう形成された略円柱状のカシメ１１の高さのみの寸法確保で重ね板８と本体との固定を維持し、通路規制板４の強度を高めることができる。
【００４２】
また、通路規制板４の略下端部で商品通路１の反対側の面と略密接するように左右側板２間に連続して配置した重ね板８の下端で略密着に前後から本体下端を折り返し挟み込むように形成された下端折り曲げ部１０で本体と固定しているので、通路規制板４（本体と重ね板８）を薄い鋼板で構成しても、前後方向に複数列配置した商品通路１間の限られた狭い配置空間でも、本体下端を折り返し挟み込むように形成された下端折り曲げ部１０と本体の３重構造になった厚みのみの寸法確保で重ね板８と本体との固定を維持し、通路規制板４の強度を高めることができる。なお、生産や市場でのサービスなどの時に、商品収納装置を持上げる作業が伴うが、その際に通路規制板４の下端を保持部として作業をしても係合部５および通路規制板４が変形することなく作業ができる。
【００４３】
また、略下端部の係合部５に設けた固定手段１８を密着曲げ端１２の先端がＬ字形状になるよう下側から切欠き１７を設け、密着曲げ端１２のＬ字形状部の先端を開口穴６に挿入後、Ｌ字形状の一部を通路規制板４の左右方向を軸として商品通路１側に略９０°折り曲げて側板２が外れないようにする固定手段１８を有しているので、通路規制板４（本体と重ね板８）を薄い鋼板で構成しても、通路規制板４の略下端の商品通路１の反対側の面と略密着するように配置される重ね板８と連続して係合部５が形成され、かつ、係合部５先端の固定手段１８が側板２から応力を受ける際に変形しない端面で固定されることで、通路規制板４の下端、及び、係合部５の強度が高まり、側板２に配した開口穴６に挿入係止する係合部５および通路規制板４が変形することなく安定した商品通路１寸法を確保することができる。なお、生産や市場でのサービスなどの時に、商品収納装置を持上げる作業が伴うが、その際に通路規制板４の下端を保持部として作業をしても係合部５および通路規制板４が変形することなく作業ができる。
【００４４】
また、係合部５および密着曲げ端１２が位置する通路規制板４には左右に連続した凸部１３を有し、係合部５および密着曲げ端１２を凸部１３に密着して配置しているので、通路規制板４の強度が高められ、係合部５の強度をさらに高めることができる。
【００４５】
また、通路規制板４の上下方向の略中央部の左右に係合爪からなる固定手段１８を設けたことにより、薄い鋼板で形成しても商品を保持することにより加わる荷重を係合爪からなる固定手段１８の商品通路１と反対側の面が開口穴６ａと当接して受けることで、通路規制板４のたわみを抑制することができ、変形することなく商品を販売することができる。
【００４６】
また、通路規制板４の上下方向の略中央部に通路側に凸形状の商品保持部１４と、略上下端に設けた左右に連続した重ね板８間に連続した上下方向のビード１６ｂを配したことにより、薄い鋼板で形成しても、商品を保持することにより加わる荷重を連続した上下方向のビード１６ｂが受けるため、変形することなく商品を販売することができる。
【００４７】
なお、従来と同一の大きさで通路規制板４の係合部５を形成することができることにより、従来の側板２が流用可能で通路規制板４を薄い鋼板で形成するだけで良く、投資抑制
を図ることもできる。
【産業上の利用可能性】
【００４８】
以上のように本発明にかかる自動販売機の商品収納装置は、通路規制板を薄い鋼板で構成しても、変形することなく、安定した商品通路寸法を確保することができ、コスト低減を図りながら様々な商品を販売することができるので、商品収納装置を備えたあらゆる自動販売機器に適用できる。
【符号の説明】
【００４９】
１    商品通路
２    側板
３    商品搬出装置
４    通路規制板
５    係合部
６    開口穴
８    重ね板
１０  折り曲げ部
１１  カシメ
１２  密着曲げ端
１５  突出部
１７  切欠き
１８  固定手段
【図１】
0005927488.tif 000002
【図２】
0005927488.tif 000003
【図３】
0005927488.tif 000004
【図４】
0005927488.tif 000005
【図５】
0005927488.tif 000006
【図６】
0005927488.tif 000007